(57)【要約】【課題】植物活力剤、肥料としてミネラル含有微生物培養液である高効率の植物育成物質を提供する【解決手段】穀類、果実類、野菜類、花き類、蔬菜類を含む植物作物を生育する土壌栽培，並びに水耕栽培により、前記作物を生育すべく、前記植物作物栽培用の育成物質において、育成物質の成分を原水に溶かして得た養水として、真水、海水の溶液分に土壌微生物とミネラルと有機酸成分とアミノ酸と含む高濃度微生物剤と糖蜜と海苔を添加して培養させているミネラル含有微生物培養液である。【選択図】図１
0003216212.tif 000002
【実用新案登録請求の範囲】
【請求項１】
穀類、果実類、野菜類、花き類、蔬菜類、藺草類を含む植物作物を生育する土壌栽培，並びに水耕栽培により、前記作物を生育すべく、前記植物作物栽培用の育成物質において、育成物質の成分を原水に溶かして得た養水として、真水、海水の溶液分に土壌微生物とミネラルと有機酸成分とアミノ酸と含む高濃度微生物剤と糖蜜と海苔を添加して培養させているミネラル含有微生物培養液を容器に充填されていることを特徴とする容器入り高効率の植物育成物質。
【請求項２】
乳酸菌、脱窒菌、ＶＡ菌及びバチルス菌を含有する微生物群を、糖類、アミノ酸、ミネラル、無機リン酸を必須とする培地で、培養された高濃度微生物剤に、真水、及び海水、及び海苔、及び糖蜜を添加された前記微生物培養液の高濃度微生物剤の濃度を１〜１．５重量％を含有する溶液であって、真水、海水、海苔、糖蜜のそれぞれの添加における比率は真水１００に対して、海水：１０〜１５重量％、海苔：１〜２重量％、糖蜜：０．８〜２重量％になっていることを特徴とする請求項１に記載の容器入り高効率の植物育成物質。
【請求項３】
前記ミネラル含有微生物培養液は、真水、海水の溶液分に、土壌微生物にミネラル分と有機酸成分とアミノ酸成分と含む高濃度微生物剤と糖蜜と海苔に添加した組成物を２５〜４０℃の温度範囲で５００時間以上（２０日）培養して得られた液体組成物であることを特徴とする請求項１、又は請求項２に記載の容器入り容器入り高効率の植物育成物質。
【請求項４】
高濃度微生物剤に含有する有機酸成分、及びミネラル、及びアミノ酸について、有機酸成分は、０．８〜１．５重量％の乳酸と酢酸であって、ミネラル分としてはリン酸分、カリ分を、アミノ酸分としてグルタミン酸、アスパラギン酸を主体に含有して、必修アミノ酸のうちアルギニン、リジンを含有していることを特徴とする請求項１〜請求項３のいずれかに記載の容器入り高効率の植物育成物質。
【請求項５】
植物育成物質に使用される微生物培養の糖蜜と海苔は、糖蜜としてサトウキビから製造されている種々の成分を含み廃糖蜜であって、海苔として一般に栽培された緑藻を乾燥して海苔の製品であり、前記溶液中にそれぞれ分散できるものを使用していることを特徴とする請求項１〜請求項４のいずれかに記載の容器入り高効率の植物育成物質。
【請求項６】
前記植物育成物質は、穀類、果実類、野菜類、花き類、蔬菜類、藺草類を含む植物作物を生育する土壌，水耕栽培に使用する場合に、土壌栽培には５００〜２０００倍に薄めて、水耕栽培には１００〜２０００倍に希釈して使用することを特徴とする請求項１〜請求項５のいずれかに記載の容器入り高効率の植物育成物質。
【請求項７】
前記植物育成物質が、液体としておが屑、籾殻、ワラの内、何れか１種以上に含侵して使用され、前記微生物分解剤を、米糠、籾殻、油カス、ビール絞りかす、オカラ、鶏糞、青刈作物の内、何れか１種以上からなる窒素源として混合した混合有機物を微生物によって分解して得ていることを特徴とする請求項１〜請求項６のいずれかに記載の容器入り高効率の植物育成物質。
【請求項８】
充填容器として、その容器内に植物育成物質を充填されている容器としては、２０ｍＬ〜２０Ｌの容積を持つ、０．１〜２ｍｍの厚さで、ポリエチレン、ポリプロピレン、塩化ビニル、塩化ビニリデン、ポリエステルの材質の樹脂製容器であって、蓋付き広口型、又は先端細口型、及びチャック状封密型の形状になっている容器に充填されていることを特徴とする請求項１〜請求項７のいずれかに記載の容器入り高効率の植物育成物質。
【考案の詳細な説明】
【技術分野】
【０００１】  本発明は、植物活力剤、肥料としてミネラル含有微生物培養液である容器入り高効率の植物育成物質に関する。
【背景技術】
【０００２】  植物に対して付与することで植物の生育を促進する植物活力剤は、肥料に含まれる窒素、リッ酸、カリだけでは足りない、植物の生育に必要な成分を補うことができるものである。植物活力剤の成分としては、従来、種々の成分が知られており、例えば特許文献１では、フルボ酸を植物活力剤として使用することが開示されている。【０００３】  しかしながら、従来の植物活力剤と比較してより植物生育促進能力に優れた植物活力剤が求められている。穀類、果実類、野菜類、花き類、蔬菜類などの作物を生育する方法の一つに、肥料成分を必要な量だけ原水に溶かして得た養水を少量ずつ供給し、土壌を培地として上記作物を生育する施肥潅水栽培がある。この栽培方法は、施肥量及び給水量が少なくて済み、病気の発生が抑制される。この施肥潅水栽培を行う際に養水の供給を機械的に行う装置として、公知の農作物栽培装置がある（特許文献１参照）。【０００４】  この装置方法では、肥料を溶かす原水を肥料混合機まで移送するためのポンプと、この原水及び肥料を予め設定した割合で混合する混合機と、この混合機に接続されて培地に配設された送水管と、予め設定した時間および量だけ前記送水管を通じて養水を培地へ供給する送水制御装置とを備えている。この装置を用いることにより、各種の設定に基づいて培地へ養水が供給され、施肥潅水栽培を自動的に行うことができる。多量栽培には適していない。【０００５】植物生育促進能力が顕著に優れた植物活力剤および肥料を提供するために、アミノ酸類５０〜５００ｐｐｍ、フルボ酸１．０〜５０ｐｐｍ、および、コリン５０〜１０００ｐｐｍを含有する水溶液であって、植物活力剤、肥料としての前記水溶液は、さらにミネラルを含有することもできる。また、水で希釈することにより前記植物活力剤または肥料を構成する濃縮液剤で、水に溶かすことにより前記植物活力剤または肥料を構成することが提案されている（特許文献２参照）。【０００６】点滴施肥潅水栽培によって穀類、花き類及び蔬菜類を含む作物を生育するために、その生育期間中の潅水量、施肥量、及び最終的な目標収量等に関し、従来に比してより正確な計画を作成し得る作物生育設計装置、プログラム、及び作物生育設計方法も提供されている（特許文献３参照）。【０００７】一方農業や園芸の分野での苗生産に有効な育苗培地用ＶＡ菌根菌入り緩効性肥料として、育苗培地用ＶＡ菌根菌入り緩効性肥料に、ＶＡ菌根菌と緩効性肥料の重量割合で、ＶＡ菌根菌：緩効性肥料＝１０〜９０：９０〜１０とするＶＡ菌根菌入り緩効性肥料も提案されている（特許文献４参照）。【０００８】また畜産糞尿、特に牛糞を主原料として、早期堆肥化でき、製造工程中の悪臭を低減した、リン高含有率の肥料、かつ連作障害を防ぎ、植物に耐病性を付与し、作物の収穫量増大、大きな花及び果実を栽培することを可能にする有機肥料及びその製造方法として、糞尿に植物質原料を混合し糞尿の硬さを調節する糞尿前処理工程と、前記糞尿前処理工程後の糞尿を山積みし部分分解・発酵させる一次発酵工程と、前記一次発酵工程後の糞尿に米糠及び微生物培養液を添加して発酵を促進させる二次発酵工程と、前記二次発酵工程後の糞尿に微生物分解物を添加して追加発酵させる三次発酵工程と、からなる有機肥料の製造方法の構成とした方法が提案されている（特許文献５参照）。【０００９】  ポット苗を生産する場合、育苗培地は、造粒した粒状培土や、保水力や保肥力の優れたピートモス、透水性や通気性のよいバーミキュライト（特許文献６参照）、更に、養分源として肥料を配合したもの（特許文献７参照）が、一般的に使用されている。しかしながら、従来の育苗培地に使用される肥料だけでは、植物に養分が均一に与えられず、ポット間の苗の生育速度に不均一性が生じ、苗の地上部の製品規格に適合する時期にタイムラグが発生し、効率良く製品を出荷することができず、生産性が上がらないなどの問題がある。【００１０】植物活力剤、肥料としてミネラル含有微生物培養液である高効率の植物育成物質として穀類、果実類、野菜類、花き類、蔬菜類を含む植物作物を生育する土壌，水耕栽培に対して、植物作物を効率よく生育すべく、前記植物作物栽培用の育成物質は存在していない。
【先行技術文献】
【特許文献】
【００１１】
【特許文献１】特開２００３−１７１２１５号公報
【特許文献２】特開２０１３−８２６４０号公報
【特許文献３】特開２００５−２７８５３５号公報
【特許文献４】特開２００５−１３９００９号公報
【特許文献５】特開２０１０−２０８８９３号公報
【特許文献６】特開平９−６５７５８号公報
【特許文献７】特開２０００−２６５４７１号公報
【考案の概要】
【考案が解決しようとする課題】
【００１２】  本考案は、このような従来の穀類、果実類、野菜類、花き類、蔬菜類を含む植物作物を生育する土壌，水耕栽培に育苗培地用の肥料などの育成材がもつ欠点を克服するため、植物の生長、作物の品質、味、及び収穫量などを高めることを目的としたものである。前記現状に鑑み、植物生育促進能力に優れた植物活力剤、肥料およびそれらの濃縮液を提供することを目的とする。【００１３】  植物作物を生育するにあたっては、原水に溶かす肥料の量、培地へ供給する養水の量（潅水量）などを適切に管理する必要があるが、これらは作業者の経験と勘とに頼らざるを得ず、特に栽培経験の乏しい作業者においては、適切な分量を供給できずに作物の生育を阻害してしまう場合がある。従って、優良で均一な品質を多量に確保して、目標通りの収量を正確に得ることは困難である。しかしながら近年では、消費者の要望もあって、均一な品質を有する作物を大量に生産する必要があり、高効率の植物育成物質によって優れた植物作物の生育をより厳密かつ正確に行うことが望まれている。【００１４】  そこで、潅水施肥栽培によって作物を生育するために、その生育期間中の、植物育成物質の施量、及び最終的な目標収量等に関し、従来に比してより高い収量、品質的に作物生育できる高効率の植物育成物質を提供することを目的とする。
【課題を解決するための手段】
【００１５】  育成成分を原水に溶かして得た養水を供給し、土壌を培地として、穀類、果実類、野菜類、花き類、蔬菜類、藺草類を含む植物作物を生育する土壌，水耕栽培により、前記作物を生育すべく、前記植物作物栽培用の育成物質において、真水、海水の溶液分に土壌微生物とミネラルと有機酸成分とアミノ酸と含む高濃度微生物剤と糖蜜と海苔を添加して培養しているミネラル含有微生物培養液である高効率の植物育成物質である。【００１６】前記微生物培養液が、乳酸菌、脱窒菌、ＶＡ菌及びバチルス菌からなる微生物群を、糖類、アミノ酸、ミネラル、無機リン酸を必須とする培地で、培養されて、前記微生物培養液として真水、海水、微生物剤、海苔、糖蜜の比率を真水１００に対して海水：１０〜１５重量％である９５〜９９％水分含有の溶液に微生物剤１〜１．５重量％、海苔１〜２重量％、糖蜜０．８〜２重量％を添加している液体である。【００１７】前記ミネラル含有微生物培養液は、真水、海水、の溶液分に土壌微生物とミネラルと有機酸成分とアミノ酸と含む高濃度微生物剤と糖蜜と海苔に添加した組成物を２５〜３８℃の温度範囲で、５００時間以上（２０日以上）培養している。【００１８】高濃度微生物剤に含有する有機酸成分、及びミネラル、及びアミノ酸について、有機酸成分は、乳酸、酢酸であって、０．８〜１．５重量％であって、ミネラル分としてはリン酸分、カリ分を、アミノ酸分としてグルタミン酸、アスパラギン酸を主体に必修アミノ酸を含み種々の主要なアミノ酸を含有して、必修アミノ酸のアルギニン、リジンを含んでいる。【００１９】植物育成物質に使用される微生物培養の糖蜜と海苔は、糖蜜としてサトウキビから製造されている種々の成分を含み廃糖蜜であって、海苔として一般に栽培された緑藻を乾燥して海苔の製品であり、前記溶液中にそれぞれ分散できるものを使用している。【００２０】前記植物育成物質は、穀類、果実類、野菜類、花き類、蔬菜類、藺草類を含む植物作物を生育する土壌，水耕栽培に使用する場合に、土壌栽培には５００〜１０００倍に薄めて、水耕栽培には１００〜１０００倍に希釈して使用する。【００２１】前記植物育成物質が、液体としておが屑、籾殻、ワラの内、何れか１種以上に含侵して使用され、前記微生物分解剤を、米糠、籾殻、油カス、ビール絞りかす、オカラ、鶏糞、青刈作物の内、何れか１種以上からなる窒素源として混合した混合有機物を微生物によって分解して得ている。【００２２】充填容器として、その容器内に植物育成物質を充填されている容器としては、２０ｍＬ〜２０Ｌの容積を持つ０．１〜２ｍｍの厚さで、ポリエチレン、ポリプロピレン、塩化ビニル、塩化ビニリデン、ポリエステルの材質の樹脂製容器であって、蓋付き広口型、又は先端細口型、及びチャック状封密型の形状になっている容器に充填されている。また、紙製容器、又はガラス瓶、又は金属容器、又はアルミパウチ容器にも充填できる。
【考案の効果】
【００２２】  本考案によって、従来の植物活力剤と比較して格段に植物生育促進能力が優れた植物活力剤、および肥料の役目になる植物育成物質を提供することができる。しかも、本考案の植物育成物質を構成する含有成分はいずれも、安全性が高く、植物に対して薬害をもたらす恐れがない。安心して使用ができて育成作物の品質、収量を増大させることができた。また適切な容器いれによって目的に応じてように使用できるようになった。【００２３】  また、本考案の濃縮液は、単に水で希釈することまたは水に溶かすことにより、簡易に高効率の植物育成物質を与えることができる。施肥によって穀類、果実類、野菜類、花き類又は蔬菜類のあらゆる植物を生育するために、その生育期間中の施肥量、及び最終的な品質、収量等に関し、従来に比してより高い作物生育を提供することができる。
【図面の簡単な説明】
【００２４】
【図１】容器入り高効率の植物育成物質の製造フロー図
【図２】高効率の植物育成物質の樹脂製容器入り姿図
【図３】植物育成物質での植物使用の方法の図  Ａ：稲作への散布方法例  Ｂ：野菜への散布方法例
【図４】葉物野菜、藺草、穀類育成の状況図  野菜類  藺草類  稲類
【考案を実施するための形態】
【００２５】  本発明の植物育成物質は、育成成分を原水に溶かして得た養水を供給し、土壌を培地として、穀類、果実類、野菜類、花き類、蔬菜類を含む植物作物を生育する土壌，水耕栽培により、前記作物を生育すべく、前記植物作物栽培用の育成物質において、真水、海水、の溶液分に土壌微生物とミネラルと弱酸成分とアミノ酸と含む高濃度微生物剤と糖蜜と海苔に添加して培養しているミネラル含有微生物培養液である。
【実施例１】
【００２６】前記微生物培養液が、乳酸菌、脱窒素菌、硝化菌、ＶＡ菌及びバチルス菌などからなる微生物群を、糖類、アミノ酸、ミネラル、無機リン酸を必須とする培地で、培養された溶液（ベースエイト商品名）を１００ｇと  真水：１０Ｌ、海水：１．２Ｌ、海苔：１５０ｇ、糖蜜：１２０ｇにした。上記ミネラル含有微生物培養液は、３３〜３５℃の温度範囲で、真水、海水、の溶液分に土壌微生物とミネラルと弱酸成分とアミノ酸と含む高濃度微生物剤と糖蜜と海苔に添加した組成溶液を５００時間以上（２０日）で培養して得られた。【００２７】高濃度微生物剤に含有する弱酸成分、及びミネラル、及びアミノ酸について、弱酸成分は、乳酸であって、１重量％であって、ミネラル分としてはリン酸分、カリ分を、アミノ酸分としてグルタミン酸、アスパラギン酸を主体に必修アミノ酸のアルギニン、リジン等を含んだ。
植物育成物質に使用される微生物培養の糖蜜と海苔は、糖蜜としてサトウキビから製造されている種々の成分を含み廃糖蜜であって、海苔として一般に栽培された緑藻を乾燥して海苔の製品を使用した。前記溶液中に海苔と糖蜜それぞれ分散できるものを使用した。この高効率の植物育成物質は、２Ｌのポリエチレン樹脂容器に充填して使用した。販売も行った。また２０Ｌ溶液の樹脂容器にも充填したものも生産した。【００２８】前記植物育成物質は、米穀類栽培である水耕栽培で、米の水耕栽培には１０００倍に希釈して使用した。高効率の植物育成物質は、稲作栽培には作付けから収穫時までに３回散布して、第一目は  苗が３０ｃｍ程度の時期で、第二回目稲株が出来上がった時期、第三回目は稲穂が膨らんできた時である。各散布時は、水田の水を抜いて、水田土壌に５００倍に薄めた溶液を浸して、一昼夜放置した。その後水を張って稲作の栽培育成を行った。【００２９】この植物育成物質を使用して収穫した米穀は、不良米の粒がほとんどなく、収穫収量として、使用しない場合に比べて１割程度増産した。またこの米を精米して、各関係者１０名に５ｋｇづつ提供して、味の比較を行ってもらったが、すべての方が、通常栽培している米穀よりも一段と味がよかったとの評価を得た。
【実施例２】
【００３０】乳酸菌、脱窒菌、ＶＡ菌及びバチルス菌からなる微生物群を、糖類、アミノ酸、ミネラル、無機リン酸を必須とする培地で、培養された前記微生物培養液は、実施例１と同様に製造した。前記ミネラル含有微生物培養液は、２５〜３８℃の温度範囲で、真水、海水、の溶液分に土壌微生物とミネラルと弱酸成分とアミノ酸と含む高濃度微生物剤と糖蜜と海苔に添加した組成物を５００時間以上培養したものであった。２０Ｌ溶液の樹脂容器にも充填したものも使用した。【００３１】実施例１と同様な植物育成物質は、藺草栽培である水耕栽培で、藺草の水耕栽培には１０００倍に希釈して使用した。高効率の植物育成物質は、藺草栽培には１１月ごろの作付けから切り取り収穫時までに２回散布して、第一目は  苗が５０ｃｍ程度の時期で、第二回目藺草の成長が一番旺盛な時期であった。各散布時は、水田の水を抜いて、水田土壌に１０００倍に薄めた溶液を浸して、一昼夜放置した。その後水を張って藺草の栽培育成を行った。【００３２】この植物育成物質を使用して収穫した藺草は、１５０ｃｍ以上の揃ったものであり、藺草の敷物に使用できる収穫収量として、使用しない場合に比べて２割程度増産した。またこの藺草自身の腰もしっかりして敷物にする場合には不良品は少なくなった。
【実施例３】
【００３３】前記微生物培養液が、乳酸菌、脱窒素菌、硝化菌、ＶＡ菌及びバチルス菌などからなる微生物群を、糖類、アミノ酸、ミネラル、無機リン酸を必須とする培地で、培養された溶液（ベースエイト商品名）を１０００ｇと  真水：１００Ｌ、海水：１０Ｌ、海苔：２０００ｇ、糖蜜：１５００ｇにした。上記ミネラル含有微生物培養液は、実施例１とほぼ同様に３０〜３５℃の温度範囲で、真水、海水の溶液分に土壌微生物とミネラルと弱酸成分とアミノ酸と含む高濃度微生物剤と微生物培養栄養剤の糖蜜と海苔に添加した組成溶液を５００時間以上（２０日）で培養して得られた。【００３４】高濃度微生物剤に含有する弱酸成分、及びミネラル、及びアミノ酸について、弱酸成分は、乳酸であって、１．５重量％であって、ミネラル分としてはリン酸分、カリ分を、アミノ酸分としてグルタミン酸、アスパラギン酸を主体に必修アミノ酸のアルギニン、リジン等を含んだ。植物育成物質に使用される微生物培養の糖蜜と海苔は、糖蜜としてサトウキビから製造されている種々の成分を含み廃糖蜜であって、海苔として２月ごろ収穫する３番目収穫の海苔を使用して緑藻を乾燥して乾燥海苔の製品を原料として使用した。前記溶液中に海苔と糖蜜それぞれ分散できるものを使用した。この高効率の植物育成物質は、２０Ｌ溶液の樹脂容器にも充填した。【００３５】前記植物育成物質は、米穀類栽培である水耕栽培で、米の水耕栽培には１０００倍に希釈して使用した。高効率の植物育成物質は、稲作栽培には作付けから収穫時までに３回散布して、第一目は  苗が３０ｃｍ程度の時期で、第二回目稲株が出来上がった時期、第三回目は稲穂が膨らんできた時である。各散布時は、水田の水を抜いて、水田土壌に８００倍に薄めた溶液を浸して、一昼夜放置した。その後水を張って稲作の栽培育成を行った。【００３６】この植物育成物質を使用して収獲した米穀は、不良米の粒がほとんどなく、収穫収量として、使用しない場合に比べて１．５割程度増産した。またこの米を精米して、各関係者１０名に２０ｋｇづつ提供して、１週間試食して味の比較を行ってもらったが、すべての方が、通常栽培している米穀よりも一段と旨味とコクがでているとの評価であった。
【請求項４】
【００３７】前記微生物培養液が、実施例１と同様に乳酸菌、脱窒素菌、硝化菌、ＶＡ菌及びバチルス菌などからなる微生物群を、糖類、アミノ酸、ミネラル、無機リン酸を必須とする培地で、培養された溶液（ベースエイト商品名）を１００ｇと真水：１０Ｌ、海水：１．２Ｌ、海苔：１５０ｇ、糖蜜：１２０ｇにした。上記ミネラル含有微生物培養液は、３３〜３５℃の温度範囲で、真水、海水、の溶液分に土壌微生物とミネラルと弱酸成分とアミノ酸と含む高濃度微生物剤と糖蜜と海苔に添加した組成溶液を５００時間以上（２０日）で培養して得られた。
【００３８】高濃度微生物剤に含有する弱酸成分、及びミネラル、及びアミノ酸について、弱酸成分は、乳酸であって、１重量％であって、ミネラル分としてはリン酸分、カリ分を、アミノ酸分としてグルタミン酸、アスパラギン酸を主体に必修アミノ酸のアルギニン、リジン等を含んだ。植物育成物質に使用される微生物培養の糖蜜と海苔は、糖蜜としてサトウキビから製造されている種々の成分を含み廃糖蜜であって、海苔として一般に栽培された緑藻を乾燥して海苔の製品を使用した。前記溶液中に海苔と糖蜜それぞれ分散できるものを使用した。この高効率の植物育成物質は、２Ｌのポリエチレン樹脂容器に充填して使用した。販売も行った。
【００３９】この高効率の植物育成物質は、夏野菜のキュウーリ、ナスビ、スイカ、トマトの栽培に使用した。これら夏野菜のキュウーリ、ナスビ、スイカ、トマトは４月ごろ１０ｃｍ程度の苗を植えて、１月程度経過して、茎の長さ２０〜３０ｃｍ程度に成長した時期に苗の中心から３０ｍｍの円周に穴を掘って５００倍に薄めた溶液を苗１本あたり、３０〜５０ｃｃに散布した。
【００４０】キュウーリ、ナスビ、スイカの８月ごろまでの収穫量は、この植物育成物質を使用しない場合に比べて表のようになった。
【表】
0003216212.tif 000003
表に示すように、植物育成物質を使用することによって、１．５倍の収穫が得られた。採取された作物は、色つやが良く、香りがあって、味が優れ、果形が良いなどよいものであった。
本考案の植物育成物質における海苔、糖蜜、アミノ酸類の配合濃度は、植物に与える際の濃度として有効成分であり、この濃度範囲であると、他の成分との相乗的な作用により、顕著に優れた植物生育促進能力を達成することができる。
【実施例５】
【００３８】  本考案の植物育成物質は、植物一般に適用することができる。植物としては、、野菜以外、草花、観葉植物、洋らん、鉢花、花木（バラなど）を挙げることができる。また、サボテン、東洋ラン、盆栽、ハイドロカルチャーなどに与えることもでき、これらの場合には、この濃度を、さらに２倍程度希釈してもよい。【００３９】  使用間隔および使用量は特に限定されず、適宜調整することが可能である。一例として、使用間隔は１月間に１回程度であり、使用量は、鉢植えの植物には鉢底から流れ出る程度を、野菜・バラなど地植えの植物には１平方メートルあたり約１００ｍＬ〜３Ｌを与えればよい。植物が吸収しにくい養分をバランスよく補うことができ、これにより、優れた植物生育促進能力を発揮し、植物の生長を促すことができる。また、植物育成物質は土壌中で不活性化しにくいもので、植物生育促進能力が素早く発揮される。【００４１】本考案の植物育成物質は、例えば以下のような時に効果的に使用することができる。（１）野菜が成り疲れで元気がない時。（２）日当たりが悪く植物が弱っている時。（３）夏の暑さや冬の寒さに対する植物の抵抗性を高めたい時。（４）根の張りをよくしたい時。（５）植えつけや植え替えの前後。（６）さし木・さし芽・株分けなどの時にも有効である。【００４２】  本考案の植物育成物質は、水に溶かすだけでの植物活力剤または肥料を提供することができるものである。水に溶かす時の水の使用量は適宜設定することができ、特に限定されない。例えば、固形剤を１００倍量の水に溶かして植物活力剤または肥料とすることができるよう、当該固形剤における各成分の含量をあらかじめ設定すればよい。また、本発明の固形剤の剤型は特に限定されない。例えば粉末状のものであってよい。
【符号の説明】
【００４３】１．植物育成物質
２．樹脂製容器
３．野菜類（ナスビ、トマト、スイカ）
４．藺草
５．穀類（稲）
６．撹拌・混合
７．微生物剤
８．容器の蓋
９．ラベル
１０．植物育成物質のレベル
１１．掘り込み
１２．上呂
１３．トラック
１４．タンク
１５．ホース
１６．苗
１７．田圃
１８．水抜き
【図１】
0003216212.tif 000004
【図２】
0003216212.tif 000005
【図３】
0003216212.tif 000006
【図４】
0003216212.tif 000007
【手続補正書】
【提出日】平成30年1月22日(2018.1.22)
【手続補正１】
【補正対象書類名】実用新案登録請求の範囲
【補正対象項目名】全文
【補正方法】変更
【補正の内容】
【実用新案登録請求の範囲】
【請求項１】
穀類、果実類、野菜類、花き類、蔬菜類、藺草類を含む植物作物を生育する土壌栽培，並びに水耕栽培により、前記作物を生育すべく、前記植物作物栽培用の育成物質において、育成物質の成分を原水に溶かして得た養水として、真水、海水の溶液分に土壌微生物とミネラルと有機酸成分とアミノ酸と含む高濃度微生物剤と糖蜜と海苔を添加して培養させているミネラル含有微生物培養液を容器に充填されていることを特徴とする容器入り高効率の植物育成物質。
【請求項２】
乳酸菌、脱窒菌、ＶＡ菌及びバチルス菌を含有する微生物群を、糖類、アミノ酸、ミネラル、無機リン酸を必須とする培地で、培養された高濃度微生物剤に、真水、及び海水、及び海苔、及び糖蜜を添加された前記微生物培養液の高濃度微生物剤の濃度を１〜１．５重量％を含有する溶液であって、真水、海水、海苔、糖蜜のそれぞれの添加における比率は真水１００に対して、海水：１０〜１５重量％、海苔：１〜２重量％、糖蜜：０．８〜２重量％になっていることを特徴とする請求項１に記載の容器入り高効率の植物育成物質。
【請求項３】
前記ミネラル含有微生物培養液は、真水、海水の溶液分に、土壌微生物にミネラル分と有機酸成分とアミノ酸成分と含む高濃度微生物剤と糖蜜と海苔に添加した組成物を２５〜４０℃の温度範囲で２０日〜５０日培養して得られた液体組成物であることを特徴とする請求項１、又は請求項２に記載の容器入り容器入り高効率の植物育成物質。
【請求項４】
高濃度微生物剤に含有する有機酸成分、及びミネラル、及びアミノ酸について、有機酸成分は、０．８〜１．５重量％の乳酸と酢酸であって、ミネラル分としてはリン酸分、カリ分を、アミノ酸分としてグルタミン酸、アスパラギン酸を主体に含有して、必修アミノ酸のうちアルギニン、リジンを含有していることを特徴とする請求項１〜請求項３のいずれかに記載の容器入り高効率の植物育成物質。
【請求項５】
植物育成物質に使用される微生物培養の糖蜜と海苔は、糖蜜としてサトウキビから製造されている種々の成分を含み廃糖蜜であって、海苔として緑藻を乾燥した海苔の製品であり、前記溶液中にそれぞれ分散できるものを使用していることを特徴とする請求項１〜請求項４のいずれかに記載の容器入り高効率の植物育成物質。
【請求項６】
前記植物育成物質は、穀類、果実類、野菜類、花き類、蔬菜類、藺草類を含む植物作物を生育する土壌，水耕栽培に使用する場合に、土壌栽培には５００〜２０００倍に薄めて、水耕栽培には１００〜２０００倍に希釈して使用することを特徴とする請求項１〜請求項５のいずれかに記載の容器入り高効率の植物育成物質。
【請求項７】
前記植物育成物質は、液体としておが屑、籾殻、ワラの内、何れか１種以上に含侵して使用されていることを特徴とする請求項１〜請求項６のいずれかに記載の容器入り高効率の植物育成物質。
【請求項８】
充填容器として、その容器内に植物育成物質を充填されている容器としては、２０ｍＬ〜２０Ｌの容積を持つ、０．１〜２ｍｍの厚さで、ポリエチレン、ポリプロピレン、塩化ビニル、塩化ビニリデン、ポリエステルの材質の樹脂製容器であって、蓋付き広口型、又は先端細口型、及びチャック状封密型の形状になっている容器に充填されていることを特徴とする請求項１〜請求項７のいずれかに記載の容器入り高効率の植物育成物質。